(57)【要約】【課題】軒樋施工時の作業性が向上し、一旦、軒樋の前耳を軒樋吊り金具の前耳受け部に嵌入した後は、積雪や強風によって簡単に外れることのない軒樋吊り金具を提供する。【解決手段】駆体に固定され、軒樋Ｂを吊り下げ支持する軒樋吊り金具Ａであって、該軒樋吊り金具Ａはベース部２の両端に軒樋Ｂの前耳７を受ける前耳受け部３と軒樋Ｂの後耳８を受ける後耳受け部４とを備え、上記前耳受け部３は下方に開口する側面視略コ字型とされ、上記ベース部２には上記開口部３１を閉鎖するように弾性係止片１が突設されるとともに、この弾性係止片１の先端が内側上方に折り曲げられた軒樋吊り金具Ａ。【選択図】図４
2007291631.tif 000002
【特許請求の範囲】
【請求項１】
駆体に固定され、軒樋を吊り下げ支持する軒樋吊り金具であって、該軒樋吊り金具はベース部の両端に軒樋の前耳を受ける前耳受け部と軒樋の後耳を受ける後耳受け部とを備え、上記前耳受け部は下方に開口する側面視略コ字型とされ、上記ベース部には上記開口部を閉鎖するように弾性係止片が突設されるとともに、この弾性係止片の先端が内側上方に折り曲げられた軒樋吊り金具。
【請求項２】
上記弾性係止片が側面視略Ｕ字型とされた請求項１に記載の軒樋吊り金具。
【請求項３】
上記弾性係止片の左右端縁が内側に折り曲げられた請求項１に記載の軒樋吊り金具。
【発明の詳細な説明】
【技術分野】
【０００１】
本発明は、軒樋吊り金具に関する。さらに詳しくは、積雪や強風によって簡単に軒樋が外れることがなく、しっかりと軒樋を支持することのできる軒樋吊り金具の構造に関する。
【背景技術】
【０００２】
従来、軒樋吊り金具に関しては種々提案されており、例えば、下記特許文献１には、その第１図、第２図に記載されているように、軒樋用化粧カバーの取付けが可能な軒樋吊り金具であって、構造がシンプルで軒樋用化粧カバーの取付けが容易な軒樋吊り金具が開示されている。一方、化粧カバーを取付けることなく軒樋を内吊り方式で支持する軒樋吊り金具は公知であり、例えば、本願図５に示すように、ベース部２に軒樋の前耳を受ける前耳受け部３と後耳を受ける後耳受け部４とが設けられ、前耳受け部３の下方の開口部３１にはバネ材６が弾設され、同様に後耳受け部４の下方の開口部４１にもバネ材６１が弾設されるとともに、幕板等、駆体に固定される固定部５を備えた軒樋吊り金具Ｃが知られている。
【０００３】
上記本願図５に示す軒樋吊り金具Ｃを用いて内吊り方式で軒樋Ｂを支持する場合、本願図６に示すように、上記軒樋Ｂの前耳７を上記前耳受け部３の開口部３１を閉鎖するように設けられているバネ材６の弾性に抗して前耳７を軒樋吊り金具Ｃの前耳受け部３に嵌入し、同様にバネ材６１の弾性に抗して後耳８を後耳受け部４に嵌入する。このようにして軒樋Ｂを支持した軒樋吊り金具Ｃは固定部５を介して幕板等、駆体に固定される。
【特許文献１】実開平５−２４７５２号公報（第１〜２頁、第１図、第２図）
【発明の開示】
【発明が解決しようとする課題】
【０００４】
しかしながら、上記本願図６に示すように、弾性を有する金属帯板等、板状のバネ材で軒樋の前耳と後耳とを吊り下げ支持したとき、とくに軒樋吊り下げ金具の前耳受け部に軒樋の荷重がかかり、例えば、軒樋に積雪したときや強風の場合には軒樋の前耳がバネ材を押し下げ、本願図６に矢印で示すように回転モーメントが生じて前耳が脱落し、軒樋が外れるという問題がある。さらに、軒樋施工時に軒樋を長さ方向にずらせて位置合わせを行う際、バネ材の端縁が軒樋本体に引っ掛かるため作業性が悪く、さらに、軒樋本体を損傷するおそれもある。
【０００５】
本発明はこのような問題を解決して、軒樋施工時の作業性を向上させ、また、一旦、軒樋の前耳を軒樋吊り金具の前耳受け部に嵌入した後は、積雪や強風によって簡単に外れることのない軒樋吊り金具を提供することを、その課題とする。
【課題を解決するための手段】
【０００６】
上記課題を解決するために、本発明においては、つぎのような技術的手段を講じている。すなわち、請求項１に記載の発明によれば、駆体に固定され、軒樋を吊り下げ支持する軒樋吊り金具であって、該軒樋吊り金具はベース部の両端に軒樋の前耳を受ける前耳受け部と軒樋の後耳を受ける後耳受け部とを備え、上記前耳受け部は下方に開口する側面視略コ字型とされ、上記ベース部には上記開口部を閉鎖するように弾性係止片が突設されるとともに、この弾性係止片の先端が内側上方に折り曲げられた軒樋吊り金具が提供される。上記弾性係止片は、通常、ステンレス薄板等、弾性反発力を有する金属帯板に曲げ加工を施して製作される。
【０００７】
請求項２に記載の軒樋吊り金具は、請求項１に記載の発明に加えて、上記弾性係止片が側面視略Ｕ字型とされることが好ましい。
【０００８】
請求項３に記載の軒樋吊り金具は、請求項１に記載の発明に加えて、上記弾性係止片の左右端縁が内側に折り曲げられることが好ましい。
【発明の効果】
【０００９】
請求項１に記載の発明にかかる軒樋吊り金具は上記のとおりであり、ベース部の両端に軒樋の前耳を受ける前耳受け部と軒樋の後耳を受ける後耳受け部とが設けられ、上記前耳受け部は下方に開口する側面視略コ字型とされるとともに、この開口部を閉鎖するように先端が上方に折り曲げられた弾性係止片が上記ベース部に突設されているため、施工時に軒樋を長さ方向にずらせて位置合わせを行う際、金属帯板からなるバネ材等、板状の弾性係止片を用いる先行技術の場合のように、金属端縁が軒樋本体に引っ掛かることがないため、作業性よく軒樋の施工を行うことができる。
【００１０】
請求項２に記載の軒樋吊り金具は上記のとおりであり、請求項１の軒樋吊り金具の有する効果に加え、上記弾性係止片が側面視略Ｕ字型とされているため、軒樋の前耳が引っ掛かることなくスムースに該軒樋をスイドして、施工時の位置合わせを容易に行うことができる。また、上記弾性係止片が軒樋の前耳を下方から面体で弾性的に圧接するため、軒樋の前耳がしっかりと弾性係止し、積雪や強風によって外れることなく軒樋をしっかりと吊り下げ支持することができる。
【００１１】
請求項３に記載の軒樋吊り金具は上記のとおりであり、請求項１の軒樋吊り金具の有する効果に加え、上記弾性係止片の左右端縁が内側に折り曲げられているため、施工時に金属端縁が軒樋本体を損傷することなく、さらに容易に位置合わせを行うことができる。
【発明を実施するための最良の形態】
【００１２】
以下、本発明の実施形態について図面を参照して詳細に説明する。図１、図２は、本発明にかかる軒樋吊り金具Ａを示す斜視図および側面図である。図１、図２に示すように、軒樋吊り金具Ａは、ベース部２の前端部に設けられ軒樋の前耳を受ける側面視略コ字型の前耳受け部３とベース部２の後端部に設けられ軒樋の後耳を受ける後耳受け部４とからなり、上記前耳受け部３の下方は開口部３１を形成するとともに、この開口部３１を閉鎖するように側面視略Ｕ字型の弾性係止片１が上記ベース部２に突設されている。後耳受け部４にも上記前耳受け部３と同様に、開口部４１を閉鎖するように板状係止片４２が弾設され、このように構成された軒樋吊り金具Ａは固定部５によって幕板等の駆体に固定される。
【００１３】
図３は図１に示す弾性係止片１を拡大して示す部分斜視図である。図３に示されているように、弾性を有する金属帯板を略Ｕ字型に折り曲げて形成された弾性係止片１は、その左右両端縁を内側に折り返して折り返し部１１が形成され、施工時の位置合わせ等で軒樋Ｂをその長手方向に移動する際、金属端縁が軒樋Ｂの前耳７を損傷することのないようにされている。図４は、図２に示す軒樋吊り金具Ａを用いて軒樋Ｂを吊り下げ支持した状態を示す側面図である。
【００１４】
図４に示されているように、軒樋Ｂの前耳７を上記した弾性係止片１のバネ弾性に抗して開口部３１から前耳受け部３に嵌入し、同様に軒樋Ｂの後耳８を板状係止片４２のバネ弾性に抗して開口部４１から嵌入し、このようにして、軒樋Ｂは軒樋吊り金具Ａによってを吊り下げ支持される。図４に示すように軒樋Ｂの前耳７は前耳受け部３に嵌入された後、側面視略Ｕ字型の弾性係止片１の弾性を有する面状部分によってしっかりと弾性係止されるため、積雪や強風によって簡単に外れることなくしっかりと吊り下げ支持される。
【００１５】
本実施形態においては、弾性係止片１は側面視略Ｕ字型とされているが、フック状に折り曲げてもよい。あるいは単にアール状としてもよい。このように、弾性係止片１の形状は設計変更自在であり、本発明の特許請求の範囲を逸脱しない限りいずれも本発明の技術的範囲に含まれる。
【図面の簡単な説明】
【００１６】
【図１】本発明にかかる軒樋吊り金具を示す斜視図である。
【図２】本発明にかかる軒樋吊り金具を示す側面図である。
【図３】図１に示す弾性係止片を拡大して示す部分斜視図である。
【図４】本発明にかかる軒樋吊り金具を用いて軒樋を吊り下げ支持した状態を示す側面図である。
【図５】公知の軒樋吊り金具を示す斜視図である。
【図６】公知の軒樋吊り金具を用いて軒樋を吊り下げ支持した状態を示す側面図である。
【符号の説明】
【００１７】
Ａ          本発明にかかる軒樋吊り金具
１          弾性係止片
１１        折り返し部
２          ベース部
３          前耳受け部
３１        開口部
４          後耳受け部
４１        開口部
４２        板状係止片
５          固定部
Ｂ          軒樋
７          前耳
８          後耳
Ｃ          公知の軒樋吊り金具
６          バネ材
６１        バネ材
【図１】
2007291631.tif 000003
【図２】
2007291631.tif 000004
【図３】
2007291631.tif 000005
【図４】
2007291631.tif 000006
【図５】
2007291631.tif 000007
【図６】
2007291631.tif 000008